(57)【要約】【課題】２つのファスナーストリンガーを摺動させるスライダー胴体の外観に影響されない外観を有する紐ファスナー用スライダーを提供すること。【解決手段】前後に貫通するエレメント通路（５６）が内部に形成されているスライダー胴体（５）であって前後に延長する芯紐（２１）に沿って複数のエレメント（２２）が固定されている２つのファスナーストリンガー（２，２）をエレメント通路（５６）に通過させるスライダー胴体（５）と、前後に貫通する収容孔（６５）が内部に形成されている弾性体のカバー（６）であって収容孔（６５）にスライダー胴体（５）を収容するカバー（６）とを含み、カバー（６）の内部にスライダー胴体（５）を嵌合させる為の凸部（７）及び凹部（８）のうち一方をスライダー胴体（５）の外面に備え、凸部（７）及び凹部（８）のうち他方をカバー（６）の内面に備え、カバー（６）はスライダー胴体（５）の上下左右面の全域を覆っていることを特徴とする紐ファスナー用スライダー。【選択図】      図１
2015093060.tif 000002
【特許請求の範囲】
【請求項１】
前後に貫通するエレメント通路（５６）が内部に形成されているスライダー胴体（５）であって前後に延長する芯紐（２１）に沿って複数のエレメント（２２）が固定されている２つのファスナーストリンガー（２，２）を前記エレメント通路（５６）に通過させる前記スライダー胴体（５）と、
前後に貫通する収容孔（６５）が内部に形成されている弾性体のカバー（６）であって前記収容孔（６５）に前記スライダー胴体（５）を収容する前記カバー（６）とを含み、
前記カバー（６）の内部に前記スライダー胴体（５）を嵌合させる為の凸部（７）及び凹部（８）のうち一方を前記スライダー胴体（５）の外面に備え、前記凸部（７）及び前記凹部（８）のうち他方を前記カバー（６）の内面に備え、
前記カバー（６）は前記スライダー胴体（５）の上下左右面の全域を覆っていることを特徴とする紐ファスナー用スライダー。
【請求項２】
前記スライダー胴体（５）の左右幅及び前記カバー（６）の前記収容孔（６５）の左右幅は、互いに対応する形状であると共に前部を後部よりも広くしてあることを特徴とする請求項１記載の紐ファスナー用スライダー。
【請求項３】
前記凸部（７）は、前記スライダー胴体（５）の上部を構成する上翼板（５１）の上面から上方に突出する突起部（５５）を備え、前記突起部（５５）における上面と後面の角部は、円弧状に膨らむ形の湾曲面（５５ａ）となっており、
前記凹部（８）は、前記カバー（６）の上部を構成する上板（６１）の下面に突起部（５５）の形状に対応して窪む陥没部（６６）を備えることを特徴とする請求項１又は２記載の紐ファスナー用スライダー。
【請求項４】
前記凸部（７）は、前記スライダー胴体（５）の上部を構成する前記上翼板（５１）の上部と、前記スライダー胴体（５）の下部を構成する前記下翼板（５２）の下部とを備え、
前記凹部（８）は、前記上翼板（５１）の上部を収容する為に前記上板（６１）の下面に窪んで形成される上溝部（６１ａ）と、前記下翼板（５２）の下部を収容する為に前記下板（６２）の上面に窪んで形成される下溝部（６２ａ）とを備えることを特徴とする請求項１、２又は３記載の紐ファスナー用スライダー。
【発明の詳細な説明】
【技術分野】
【０００１】
本発明は、前後に延長する芯紐に沿って複数のエレメントが固定されている２つのファスナーストリンガーと、２つのファスナーストリンガーを開閉するスライダーとを備える紐ファスナーに用いるスライダーに関する。
【背景技術】
【０００２】
従来の紐ファスナー用スライダーの一つとして特許文献１には、１つの部品から構成されるもの、より詳しく言えば上下に対向する上下翼板と、上下翼板の左右端部を上下に接合する左右のフランジとを備えるスライダー胴体から構成されるものが開示されている。また特許文献１には別のスライダーとして、２つの部品から構成されるもの、より詳しく言えば前記したスライダー胴体と、スライダー胴体に着脱可能に取り付けられる装飾体とから構成されるものも開示されている。因みに、これらスライダー胴体の左右のフランジには幅広の部分と幅狭の部分とが形成されている。
【先行技術文献】
【特許文献】
【０００３】
【特許文献１】登録実用新案第３１８３５７７号公報
【発明の概要】
【発明が解決しようとする課題】
【０００４】
しかしながら前記したスライダーのうちスライダー胴体から構成されるものはスライダーの外観の全部をスライダー胴体が構成するようになる。また前記したスライダーのうちスライダー胴体と装飾体とから構成されるものは、スライダーの外観の一部をスライダー胴体の一部が構成するようになっている。つまり何れもスライダーの外観の少なくとも一部をスライダー胴体が構成していることから、スライダー胴体の外観を配慮してスライダーの外観を決定しなければならない。
【０００５】
本発明は上記実情を考慮して創作されたもので、本発明の目的はスライダー胴体の外観に影響されない外観を有するスライダーを提供することである。
【課題を解決するための手段】
【０００６】
本発明の紐ファスナー用スライダーは、前後に貫通するエレメント通路が内部に形成されているスライダー胴体であって前後に延長する芯紐に沿って複数のエレメントが固定されている２つのファスナーストリンガーをエレメント通路に通過させるスライダー胴体と、前後に貫通する収容孔が内部に形成されている弾性体のカバーであって収容孔にスライダー胴体を収容するカバーとを含む。その上でカバーの内部にスライダー胴体を嵌合させる為の凸部及び凹部のうち一方がスライダー胴体の外面に備えられ、凸部及び凹部のうち他方がカバーの内面に備えられる。しかもカバーはスライダー胴体の上下左右面の全域を覆っている。
【０００７】
スライダー胴体の左右幅は限定されないが、次のようにすることがスライダー胴体をカバーの収容孔に挿入するには望ましい。
すなわちスライダー胴体の左右幅及びカバーの収容孔の左右幅は、互いに対応する形状であると共に前部を後部よりも広くしてあることである。
【０００８】
さらに凸部及び凹部は、スライダー胴体の外面及びカバーの内面であればどの位置に形成されるものであってよいが、次のようにすることがスライダー胴体をカバーの収容孔に挿入するには望ましい。
すなわち凸部は、スライダー胴体の上部を構成する上翼板の上面から上方に突出する突起部を備えるものとし、突起部における上面と後面の角部は、円弧状に膨らむ形の湾曲面にすることである。しかも凹部は、カバーの上部を構成する上板の下面に突起部の形状に対応して窪む陥没部を備えることである。
【０００９】
カバーはスライダー胴体の上下左右面を覆うものではあるが、スライダー胴体の前後面を覆うか否かは限定されず、例えばスライダー胴体の前後面を全く覆わないものであっても良い。但し前後方向から視た場合にスライダー胴体の外観の影響を受け難くし、スライダーの意匠性を向上させるには次のようにすることが望ましい。
すなわち凸部は、スライダー胴体の上部を構成する上翼板の上部と、スライダー胴体の下部を構成する下翼板の下部とを備えることである。また凹部は、上翼板の上部を収容する為に上板の下面に窪んで形成される上溝部と、下翼板の下部を収容する為に下板の上面に窪んで形成される下溝部とを備えることである。
【発明の効果】
【００１０】
本発明によれば、凸部がスライダー胴体をカバーの収容孔に挿入する際の障害物になるが、弾性体であるカバーが変形することによって、スライダー胴体を円滑に挿入でき、凹部と凸部を嵌合させることができる。そしてこの嵌合状態においてスライダー胴体の前後左右の各面全域をカバーで覆ってあるので、本発明によれば左右方向から視た場合にカバーの外観がスライダーの外観となる。
【００１１】
またスライダー胴体の左右幅及びカバーの収容孔の左右幅が互いに対応する形状であっていずれも前部を後部よりも広くしてあるスライダーであれば、挿入孔に前からスライダー胴体を挿入し易くなる。
【００１２】
さらにスライダー胴体の上翼板の上面から上方に突出する突起部を凸部は備えると共に、突起部の上面と後面との角部を円弧状に膨らむ形状の湾曲面にし、一方、カバーの上板の下面に突起部の形状に対応して窪む陥没部を凹部は備えるものとするスライダーであれば、収容孔にスライダー胴体を挿入する際に突起部の湾曲面に沿うようにしてカバーの上板が押し込まれることになり、スライダー胴体を収容孔に挿入し易くなる。
【００１３】
またスライダー胴体の上翼板の上部とスライダー胴体の下翼板の下部とを凸部は備えるものとし、上翼板の上部を収容する為の上溝部と下翼板の下部を収容する為の下溝部とを凹部は備えるものとするスライダーであれば、前後方向から視た場合に上翼板及び下翼板の見える面積が小さくなるので、前後方向から視た場合にでもスライダーの外観がスライダー胴体の外観の影響を受け難くなる。
【図面の簡単な説明】
【００１４】
【図１】本発明の第一実施形態のスライダーを示す分解斜視図である。
【図２】第一実施形態のスライダーの分解状態を平面方向から視た断面図である。
【図３】第一実施形態のスライダーを含む紐ファスナーの全体を示す正面図である。
【図４】第一実施形態のスライダーを含む紐ファスナーを平面方向から視た断面図である。
【図５】（ａ）図は第一実施形態のスライダーの分解状態を右側面方向から視た状態を示す断面図、（ｂ）図は第一実施形態のスライダーを右側面方向から視た状態を示す断面図である。
【図６】第一実施形態のスライダーの第一変形例を右側面方向から視た状態を示す断面図である。
【図７】本発明の第二実施形態のスライダーを右側面方向から視た状態を示す断面図である。
【図８】（ａ）図は本発明の第三実施形態のスライダーに用いるカバーを示す平面図、（ｂ）図は第三実施形態のスライダーを正面方向から視た状態を示す断面図である。
【図９】（ａ）図は本発明の第四実施形態のスライダーに用いるカバーを示す平面図、（ｂ）図は第四実施形態のスライダーを正面方向から視た状態を示す断面図である。
【発明を実施するための形態】
【００１５】
本発明の第一実施形態のスライダー４を適用した一例としての紐ファスナー１は、図３に示すように、前後に延長すると共に左右に平行に並べる２つのファスナーストリンガー２，２と、２つのファスナーストリンガー２，２に対して前後に摺動可能な第一実施形態のスライダー４と、スライダー４の抜け止め用の止具３とを備えるものである。そしてスライダー４を前後方向に摺動させることによって、２つのファスナーストリンガー２，２を開閉することができる。以下に方向性を説明するに際して、前側とは図３に示す上側であり、より詳しく言えば、スライダー４においてファスナーストリンガー２，２が開いて出てくる側である。また、後側とは図３に示す下側のことであり、より詳しく言えば、スライダー４においてファスナーストリンガー２，２が閉じて出てくる側とし、スライダー４の移動方向を前後方向とする。また、前後方向と直交し且つ一対のファスナーストリンガー２，２の横並び方向を左右方向（幅方向）、前後方向及び左右方向に直交する方向を上下方向とする。左側とは、図３の紙面での左側のことであり、右側とは図３の紙面での右側のことである。
【００１６】
各ファスナーストリンガー２は、可撓性を有する芯紐２１と、芯紐２１の長手方向に沿って所定の間隔をおいて固定される多数のエレメント２２とを備えるものである。この多数のエレメント２２によって一列状となったエレメント列２２Ａが形成される。また２つのファスナーストリンガー２，２は、前後に延長すると共に左右に平行に並べて使用される。因みに図示の例の２本のファスナーストリンガー２，２は、１本の芯紐２１の長手方向に沿って一定の間隔をおいて多数のエレメント２２を固定し、芯紐２１をその全長の中間部で折り返して実質的に２本の芯紐２１，２１とし、２本の芯紐２１，２１を前後方向に延長する状態で左右に平行に並べたものである。
【００１７】
エレメント２２は、前後方向に延長する芯紐２１に取り付ける固定部２２ａと、固定部２２ａから左右方向の一方へ突出する噛合頭部２２ｂとを備えている。固定部２２ａの内部を芯紐２１が貫通する状態で、固定部２２ａは芯紐２１に取り付けられる。また噛合頭部２２ｂは、固定部２２ａ側が前後にくびれ、先部側（固定部２２ａとは反対側）が前後に膨大した形状となっている。
【００１８】
止具３は、キャップ状である。２列のエレメント列２２Ａ，２２Ａを噛合わせた状態の２つのファスナーストリンガー２，２の一端部をキャップ状である止具３の内部にまとめて嵌めることによって、止具３は２つのファスナーストリンガー２，２に固定される。なお止具３やエレメント２２は、合成樹脂、金属の何れで成形されていても良い。また止具３には一対のエレメント列２２Ａ，２２Ａの延長方向の一方である後方に向かって突出する紐体３ａが取り付けられている。より詳しく言えば、１本の紐体３ａをその全長の中間部で折り返すようにすると共に紐体３ａの両端部を結束することによって、紐体３ａをループ状とする。また止具３の後端には前後方向に貫通する貫通孔（図示せず）が形成され、貫通穴は、紐体３ａの両端部の結束部分よりも小さいものである。そして止具３の内側から貫通孔に紐体３ａをその折り返した中間部側から挿入することによって、止具３に紐体３ａを固定する。
【００１９】
第一実施形態のスライダー４は、図１、図２に示すように、２つのファスナーストリンガー２，２を開閉するスライダー胴体５と、スライダー胴体５を収容するカバー６とを備え、カバー６の内部にスライダー胴体５を嵌合させる為の凸部７と凹部８をスライダー胴体５とカバー６に備えている。
【００２０】
スライダー胴体５は、上下に離隔する状態で対向して配置される上翼板５１及び下翼板５２と、上翼板５１と下翼板５２を互いの左右方向の幅中央部の前部において接合する連結柱５３と、上翼板５１と下翼板５２のうち少なくとも一方の左右端部から上下翼板５１，５２の間隔を狭める方向に突出する左右のフランジ５４，５４と、上翼板５１の上面に突出する突起部５５とを備えている。因みに図示の例では上翼板５１と下翼板５２の両方の左右端部からフランジ５４を突出しており、上下に対向するフランジ５４，５４の間には隙間５４Ｓが形成されている。
【００２１】
上翼板５１と下翼板５２の間には内部空間５６が形成される。内部空間５６の前部は連結柱５３によって左右に仕切られ、内部空間５６の左右は左右のフランジ５４，５４よって外部空間と仕切られることによって、内部空間５６はＹ字状のエレメント通路５６となっている。但しスライダー胴体５の左右端部において上下のフランジ５４，５４の間には隙間５４Ｓが形成されていることから、エレメント通路５６の左右については、その隙間５４Ｓを介して外部空間と連通している。またエレメント通路５６の前後方向は外部空間に連通している。このようなエレメント通路５６の左右を２つのファスナーストリンガー２，２が通過することになる。従ってエレメント通路５６の上下左右を包囲するスライダー胴体５は、２つのファスナーストリンガー２，２に対して上下左右に離脱不能となっている。そしてスライダー胴体５を前方に摺動させることにより、エレメント通路５６における連結柱５３の後方部分で左右のエレメント２２，２２同士が噛合い、逆にスライダー胴体５を後方に摺動させることによりそれまで噛合していた左右のエレメント２２，２２同士が連結柱５３により左右に分離する。
【００２２】
上翼板５１及び下翼板５２は、同一形状であって、左右対称形状である。従って左右方向に関しては、上翼板５１のみを説明し、下翼板５２の説明を省略する。上翼板５１の左右幅は、前部を後部よりも広く形成してある。より詳しく言えば、上翼板５１の左右幅は、前端部において同一幅となっており、この前端部における左右幅５Ｗ１が最も幅広である。また上翼板５１の左右幅は、後部において同一幅となっており、この後部における左右幅５Ｗ２が最も幅狭である。そして上翼板５１の左右幅は、最も幅広の前端部の後端から最も幅狭の後部の前端に向かって一定の傾斜角度で徐々に幅狭になっている。つまり左右対称形状である上翼板５１の左面について言えば、平面方向から見た場合に、当該左面の前部は、前端部を前後方向に平行な面にすると共に、前端部の後端から後方へ向かうにつれて徐々に右側へ向かうように傾斜する面となっており、当該左面の後部は前後方向に平行な面となっている。ちなみに、上翼板５１の左面は、前端部の前端から僅か後側に向かうにつれて、徐々に幅広となるように左側へ向かって円弧状に膨らむように形成され、後部の後端の僅か前側から後端に向かうにつれて、徐々に幅狭となるように右側へ向かって円弧状に膨らむように形成されている。なお上翼板５１及び下翼板５２の上下面は、平面（より詳しく言えば水平面）になっている。
【００２３】
突起部５５は、上翼板５１の上面における前後に２つ間隔をおいて形成されている。より詳しく言えば、上翼板５１の上面における前端から後方に僅かに離れた位置に突起部５５が一つ形成され、この突起部５５から後方に間隔をおいた位置に別の突起部５５がもう一つ形成され、この別の突起部５５は上翼板５１の上面における後端から前方に僅かに離れた位置に形成されている。後側の突起部５５における上面と後面の角部はいわゆる丸く面取りされた形態であり、円弧状に膨らむ形の湾曲面５５ａとなっている。より詳しく言えば後側の突起部５５の後面は上方へ向かうにつれて前方へ向かう形に湾曲している。なお後側の突起部５５の前面は下方へ向かうにつれて前方へ向かうように傾斜している。
また前側の突起部５５における上面と前面の角部も円弧状に膨らむ形の湾曲面５５ａとなっている。より詳しく言えば前側の突起部５５の前面も上方へ向かうにつれて後方へ向かう形に湾曲している。なお前側の突起部５５の後面は下方へ向かうにつれて後方へ向かうように傾斜している。
【００２４】
上記した上翼板５１の上部と、上翼板５１の上面から突出する２つの突起部５５，５５と、下翼板５２の下部とから凸部７は構成されており、この凸部７を備えるスライダー胴体５がカバー６に収容される。
【００２５】
カバー６は弾性体であって、一例としてはゴム（シリコンゴム、ウレタンゴム等）を主原料とするものが挙げられる。またカバー６は、図１〜図５に示すように、上下に離隔する状態で対向して配置される上板６１及び下板６２と、上板６１及び下板６２の左右端部を上下に接合する左板６３及び右板６４とを備える。上板６１と下板６２と右板６４と左板６３とにより上下左右を囲む形態となるカバー６の内部には、スライダー胴体５を収容する収容孔６５が前後方向に貫通する状態で形成される。
【００２６】
上板６１は、平面方向から視て円形の盤いわゆる円盤状であって、その上面を半球面状に（より詳しく言えば円形の外周から中心が最も高くなるような球面状に）形成してある。また上板６１の下面は、平面（より詳しく言えば水平面）となっており、上板６１の下面には上翼板５１の上部を収容する為の上溝部６１ａが、上翼板５１の上部に対応する形状に窪んで形成されている。また上板６１の下面であって上溝部６１ａの底には２つの突起部５５を収容する為の２つの陥没部６６，６６が、前後に間隔をあけて窪んで形成されている。また各陥没部６６は、対応する位置の突起部５５の形状に対応する形状となっている。
【００２７】
下板６２は、平面方向から視て上板６１と同一形状の円盤状である。下板６２の上面及び下面は平面（より詳しく言えば水平面）となっている。また下板６２の上面には下翼板５２を収容する為の下溝部６２ａが、下翼板５２の下部に対応する形状に窪んで形成されている。
【００２８】
左板６３の左面は、上板６１及び下板６２の左方向の外周と同一の円弧形状に湾曲した面であり、右板６４の左面も上板６１及び下板６２の右方向の外周と同一の円弧形状に湾曲した面である。
【００２９】
また左板６３の右面と右板６４の左面とは対向しており、左板６３の右面と右板６４の左面との間隔は、収容孔６５の左右幅でもある。収容孔６５の左右幅は、前端から後方へ向かって前後長の途中まで徐々に幅狭になると共に、その途中から後端までその狭い幅を維持するようになっている。より詳しく言えば収容孔６５は、その前後長を上下翼板５１，５２よりも長く形成してあり、その前後長の中央部をスライダー胴体５が嵌合する際の定位置としてある為、収容孔６５の左右幅は、その全長の中央部を上下翼板５１，５２に対応させたものとしてある。因みに図示の例では、スライダー胴体５の左右幅は、前方から後方へ向かって前後長の途中まで二段階で徐々に幅狭になっており、より詳しく言えばスライダー胴体５の左右幅は、二段階のうち前側の段階では後方へ向かうにつれて緩やかに狭くなり、二段階のうち後側の段階では急激に狭くなっているので、このようなスライダー胴体５の左右幅に対応する形状に収容孔６５の左右幅は形成されている。言い換えれば、収容孔６５の左右幅は、前端の左右幅６Ｗ１が最も幅広であり、前端から前端部における後端までが緩やかに一定の傾斜角度で幅狭になっていき、その前端部における後端の左右幅６Ｗ２から後部の前端に向かって急激に一定の傾斜角度で狭くなっていき、その後部における前端の左右幅６Ｗ３を後端まで維持するように、左板６３の右面と右板６４の左面とは形成されている。因みにスライダー胴体５が嵌合する際の定位置における部分の収容孔６５の左右幅は、スライダー胴体５の左右幅に対して略同じ（同一、若干小さい、或いは若干大きい）寸法としてある。
【００３０】
上記した上板６１の下面の上溝部６１ａと、上板６１の下面の２つの陥没部６６，６６と、下板６２の上面の下溝部６２ａとから凹部８は構成されており、この凹部８は全てカバー６に形成されている。
【００３１】
本発明の第一実施形態のスライダー４は次のようにして、スライダー胴体５にカバー６を取り付ける。まず図５（ａ）に示すようにカバー６の収容孔６５の前方にスライダー胴体５を配置する。そして収容孔６５にスライダー胴体５を挿入すると、収容孔６５の前部の左右幅はスライダー胴体５の後部の左右幅よりも広いので、左右方向についてはスライダー胴体５を容易に挿入できる。但し収容孔６５の上下幅（上板６１の下面と下板６２の上面との間隔）６Ｈはスライダー胴体５の上下面の間隔（上翼板５１の上面と下翼板５２の下面との間隔）５Ｈよりも狭いので、カバー６の弾性により上板６１と下板６２を押し広げるように変形させてスライダー胴体５は収容孔６５に入り込む。入り込んだ直後に後側の突起部５５が上板６１に衝突するが、スライダー胴体５を挿入するにつれて、突起部５５の湾曲面５５ａに沿うように上板６１が変形して円滑に上方に押し上げられる。そして図５（ｂ）に示すように最終的には前後の突起部５５，５５と前後の陥没部６６，６６とが嵌合すると共に、上溝部６１ａ及び下溝部６２ａと上翼板５１の上部及び下翼板５２の下部とが嵌合し、スライダー胴体５にカバー６が取り付けられることによってスライダー４となる。因みにカバー６をスライダー胴体５から外すときに、スライダー胴体５を前方に押し込むと、前側の突起部５５の湾曲面５５ａによって円滑にカバー６の上板６１を押し広げるように変形させるので、容易にスライダー胴体５を取り外すことができる。
【００３２】
本発明の第一実施形態のスライダー４は、この嵌合状態においてスライダー胴体５の前後左右の各面全域をカバー６で覆ってあるので、左右方向から視た場合にカバー６の外観がスライダー４の外観となる。しかも上翼板５１の上部及び下翼板５２の下部が上溝部６１ａ及び下溝部６２ａに埋まっているので、スライダー４を前後方向から視た場合に、上翼板５１及び下翼板５２の見える面積が小さくなり、スライダー４の外観がスライダー胴体５の外観の影響を受け難くなる。
【００３３】
本発明の第一実施形態のスライダー４の第一変形例は、図６に示すように、上翼板５１の上面に突起部５５を１つのみ形成し、その突起部５５を収容する陥没部６６を１つ上板６１の下面に形成したことが、第一実施形態のスライダー４と相違する。
【００３４】
この突起部５５の後面は第一実施形態のスライダー４の後側の突起部５５と同様に円弧状に膨らむ湾曲面５５ａとなっている。またこの突起部５５の前面は、略垂直に形成された面となっている。一方、陥没部６６の形状は、突起部５５の形状に対応している。
【００３５】
本発明の第二実施形態のスライダー４は図７に示すように、スライダー胴体５を突起部５５の無い形状とし、そのスライダー胴体５の形状にカバー６の形状を合わせてあることが、第一実施形態のスライダー４と相違する。より詳しく言えば、凸部７はスライダー胴体５の上翼板５１の上部と下翼板５２の下部とから構成されるものとし、凹部８はカバー６の上板６１の上溝部６１ａと下溝部６２ａとから構成されるものとしてある。この第二実施形態のスライダー４は、第一実施形態のような突起部５５が無いことから、全体の上下高を低くできる。
【００３６】
本発明の第三実施形態のスライダー４は図８に示すように、凸部７の突起部５５と凹部８の陥没部６６の形成箇所、及びカバー６の形状を第一実施形態のスライダー４と相違させている。
より詳しく言えば、突起部５５はスライダー胴体５の側面から、より詳しく言えば上翼板５１と下翼板５２のうち少なくとも一方（図示の例では下翼板５２）の左右側面から左側及び右側に突出するものである。一方、陥没部６６は収容孔６５の側面、より詳しく言えば左板６３の右面及び右板６４の左面において突起部５５に対応する箇所に窪ませて形成してある。このように突起部５５と陥没部６６を左右方向に突出又は窪ませるものとすることにより、スライダー４の上下高さを低くできる。
またカバー６の形状は、平面視してリボン結びのような形態となっている。より詳しく言えばカバー６は、リボンの結び目部と、リボンの結び目部から左右に突出するリボンの両端部とから構成されている。そしてリボンの結び目部はスライダー胴体５の上下左右を覆う平面視矩形の形状となっており、リボンの両端部はリボンの結び目よりも前後幅及び左右幅を広い形状としてある。
【００３７】
本発明の第四実施形態のスライダー４は図９に示すように、凸部７が突起部５５のみで構成されると共に凹部８が陥没部６６のみで構成されていること、突起部５５をスライダー胴体５の上下に備えると共に陥没部６６をカバー６の上下に備えること、及びカバー６の形状を第一実施形態のスライダー４と相違させている。
より詳しく言えばスライダー胴体５は上翼板５１の上面に突起部５５を備える他、下翼板５２の下面に別の突起部５５を備える。一方、カバー６は上側の突起部５５に対応させて上板６１の下面に陥没部６６を備える他、下側の突起部５５に対応させて下板６２の上面に別の陥没部６６を備える。この場合、凸部７は上側及び下側の突起部５５，５５から構成され、凹部８は上側及び下側の陥没部６６，６６から構成されるものとなる。そしてスライダー胴体５とカバー６は、上下の突起部５５，５５及び上下の陥没部６６，６６で嵌合することになり、スライダー胴体５に対するカバー６の取り付け強度が向上する。因みに各突起部５５は、上面又は下面と後面との角部が円弧状に膨らむ湾曲面５５ａとなっていると共に上面又は下面と前面との角部も円弧状に膨らむ湾曲面５５ａとなっている。
なおカバー６の形状は、平面視して星型となっている。上板６１はその周囲から中心に向かって高くなるように形成されている。下板６２も上板６１と上下対称形状に形成されている。
【００３８】
本発明は上記実施形態に限定されるものではなく、その趣旨を逸脱しない範囲において適宜変更可能である。例えば、各実施形態のスライダー４は、凸部７をスライダー胴体５に形成し、それに対応させて凹部８をカバー６に形成してあったが、これに限らず、凸部７をカバー６に形成し、それに対応させて凹部８をスライダー胴体５に形成するものであっても良い。また各実施形態のカバー６の表面には文字、図形、記号等が表記されていないが、これに限らず、カバー６の表面には文字、図形、記号等が表記されていても良い。
【符号の説明】
【００３９】
１  紐ファスナー
２  ファスナーストリンガー
２１芯紐
２２エレメント
２２ａ固定部
２２ｂ噛合頭部
２２Ａエレメント列
３  止具
３ａ紐体
４  スライダー
５  スライダー胴体
５Ｈスライダー胴体の上下面の間隔
５Ｗ１スライダー胴体の前端部の左右幅
５Ｗ２スライダー胴体の後部の左右幅
５１上翼板
５２下翼板
５３連結柱
５４フランジ
５４Ｓ隙間
５５  突起部
５５ａ湾曲面
５６  エレメント通路（内部空間）
６  カバー
６Ｈ収容孔の前部の上下幅
６Ｗ１収容孔の前端の左右幅
６Ｗ２収容孔の前端部における後端の左右幅
６Ｗ３収容孔の後部における左右幅
６１上板
６１ａ上溝部
６２下板
６２ａ下溝部
６３左板
６４右板
６５収容孔
６６陥没部
７  凸部
８  凹部
【図１】
2015093060.tif 000003
【図２】
2015093060.tif 000004
【図３】
2015093060.tif 000005
【図４】
2015093060.tif 000006
【図５】
2015093060.tif 000007
【図６】
2015093060.tif 000008
【図７】
2015093060.tif 000009
【図８】
2015093060.tif 000010
【図９】
2015093060.tif 000011